(57)【要約】【課題】  単層型、多層型のように、ディスク構成により媒体識別情報を記録する条件が異なるため、記録を安定して行うのが困難であった。【解決手段】  単層型光ディスク５および二層型光ディスク６に対する、媒体識別情報記録レーザービームの入射側は、ユーザーデータ記録時と反対の基板１側であり、この構成により、二層型光ディスク６でも二層目記録層１２ｂなどの影響を受けないため、単層型光ディスクと同じ記録条件で媒体識別情報記録が可能となる。【選択図】  図５
2005135569.tif 000002
【特許請求の範囲】
【請求項１】
情報記録層を有する円盤状の情報記録媒体に対して、ユーザーデータの記録または再生を行う面とは反対側の面からレーザービームを照射して媒体識別情報を記録することを特徴とする、情報記録方法。
【請求項２】
前記情報記録層が複数あることを特徴とする、請求項１に記載の情報記録方法。
【請求項３】
前記情報記録媒体は、ユーザーデータの記録または再生を行う面とは反対側の面の表面と、前記情報記録層との間に光吸収層を有し、
前記光吸収層を前記レーザービームによって加熱し、熱伝播により間接的に前記情報記録層に前記媒体識別情報を記録することを特徴とする、請求項１または２に記載の情報記録方法。
【請求項４】
前記情報記録媒体の前記光吸収層が、前記ユーザーデータの記録または再生時には反射層として機能することを特徴とする、請求項３に記載の情報記録方法。
【請求項５】
前記媒体識別情報の最短マーク幅よりも、前記光吸収層に照射するレーザービームの集光スポット幅を狭くして記録することを特徴とする、請求項３または４に記載の情報記録方法。
【請求項６】
照射するレーザービームが、前記光吸収層に対してデフォーカスであることを特徴とする、請求項３から請求項５のいずれかに記載の情報記録方法。
【請求項７】
デフォーカスの範囲を、焦点深度の２倍から１０倍とすることを特徴とする、請求項６に記載の情報記録方法。
【請求項８】
前記情報記録層が、相変化型記録材料から成っていることを特徴とする、請求項１から請求項７のいずれかに記載の情報記録方法。
【請求項９】
前記情報記録層が、追記型相変化記録材料から成り、
前記媒体識別情報は、前記情報記録層の非晶質相を結晶相に変更することで記録される、請求項８に記載の情報記録方法。
【請求項１０】
前記情報記録層が、有機色素型記録材料から成っていることを特徴とする、請求項１から請求項７のいずれかに記載の情報記録方法。
【請求項１１】
円盤状の基板に情報記録層を配し、ユーザーデータの記録または再生を行う面とは反対側の面からレーザービームを照射して媒体識別情報を記録することを特徴とする、情報記録媒体。
【請求項１２】
前記情報記録層が複数あることを特徴とする、請求項１１に記載の情報記録媒体。
【請求項１３】
前記ユーザーデータの記録または再生を行う面とは反対側の面の表面と、前記情報記録層との間に光吸収層を含むことを特徴とする、請求項１１または１２に記載の情報記録媒体。
【請求項１４】
前記光吸収層が、前記ユーザーデータの記録または再生時には反射層として機能することを特徴とする、請求項１３に記載の情報記録媒体。
【請求項１５】
前記情報記録層が、相変化型記録材料から成っていることを特徴とする、請求項１１から請求項１４のいずれかに記載の情報記録媒体。
【請求項１６】
前記情報記録層が、有機色素型記録材料から成っていることを特徴とする、請求項１１から請求項１４のいずれかに記載の情報記録媒体。
【請求項１７】
円盤状の基板に情報記録層を形成する情報記録層形成工程と、
ユーザーデータの記録または再生を行う面とは反対側の面からレーザービームを前記情報記録層に照射して媒体識別情報を記録する識別情報記録工程と、
を備えている情報記録媒体の製造方法。
【請求項１８】
前記情報記録層形成工程では、前記情報記録層を複数形成することを特徴とする、請求項１７に記載の情報記録媒体の製造方法。
【請求項１９】
ユーザーデータの記録または再生を行う面とは反対側の面の表面と、前記情報記録層との間に光吸収層を形成する光吸収層形成工程をさらに備え、
前記識別情報記録工程では、前記光吸収層を前記レーザービームによって加熱し、熱伝播により間接的に前記情報記録層に前記媒体識別情報を記録することを特徴とする、請求項１７または１８に記載の情報記録媒体の製造方法。
【請求項２０】
前記情報記録媒体の前記光吸収層が、前記ユーザーデータの記録または再生時には反射層として機能することを特徴とする、請求項１９に記載の情報記録媒体の製造方法。
【請求項２１】
情報記録層を有する円盤状の情報記録媒体に対して、ユーザーデータの記録または再生を行う面とは反対側の面にレーザービームを集光して媒体識別情報を記録するための光ピックアップを備えたことを特徴とする、情報記録装置。
【請求項２２】
ディスク取付部に、前記光ピックアップからの光入射側とは反対側の内周部でディスク中心位置を補正する芯出し機構をさらに備えたことを特徴とする、請求項２１に記載の情報記録装置。
【請求項２３】
前記情報記録媒体に対する、前記光ピックアップのフォーカスの相対位置を制御する、フォーカス制御手段をさらに備えたことを特徴とする、請求項２１または請求項２２に記載の情報記録装置。
【請求項２４】
前記フォーカス制御手段のフォーカス位置が焦点深度の２倍から１０倍の、少なくとも１点を含むことを特徴とする、請求項２３に記載の情報記録装置。
【発明の詳細な説明】
【技術分野】
【０００１】
本発明は、情報記録媒体および情報記録媒体に対して情報を記録する方法及び装置に関するものである。
【背景技術】
【０００２】
近年、１枚の光記録媒体に記録できる情報量の増大と、光記録媒体に記録した情報のソフト流通や不正コピー防止技術の進展により、いわゆるセキュリティ技術として光記録媒体に対して個々の識別情報を記録することが要望されている。
この要望に対して、光記録媒体に対する識別情報として、例えば再生専用型光記録媒体のピット部に、バーコードを重ね書きした追記領域（Burst Cutting Area、以下「ＢＣＡ」という）を設け、光記録媒体製造時にＢＣＡ領域に光記録媒体毎に異なる識別情報（ＩＤ）、また必要に応じて、暗号鍵や復号鍵を記録する技術が一般的に適用されている。
【０００３】
一方、情報信号を１回だけ記録できる情報層を備え、記録層を単数有する記録型光情報記録媒体、または情報信号を自由に書き換えできる情報層を備えた書き換え型光情報記録媒体も開発され、媒体の種類の多様性を増している（以下、記録型及び書換型も含め「単層型光ディスク」という）。さらには、ハイビジョン映像など大容量記録を可能とした、記録層を複数有する光ディスク（以下、記録型及び書換型も含め「多層型光ディスク」という）も、実用化されつつある。
【０００４】
これらの単層型光ディスク、多層型光ディスクでは、情報が自由に記録できるため、記録された情報の、セキュリティに対する取扱は益々重要視されている。
これに対応して、光ディスクにＩＤを記録する方法としては、例えば相変化型光ディスクに対して、レーザービームを用いて、アモルファス部と結晶部を交互に生成し、その反射率の違いを利用し、ＢＣＡを作成した例が、報告されている（例えば、特許文献１参照）。
【特許文献１】特開２００１−２４３６３６号公報（第１６頁、図３）
【発明の開示】
【発明が解決しようとする課題】
【０００５】
しかしながら、上記従来の構成では、通常の情報記録再生面側からレーザービームを照射して媒体識別情報を記録していたため、単層型の光ディスクの媒体識別情報の記録条件に対して、多層型光ディスクのレーザー照射側から最も離れた記録層に媒体識別情報記録を施す時の記録条件は、手前の層の影響を加味して、大きく変える必要があり、ＢＣＡ作成装置が複雑なものとなる。また、有機色素など、一般的に波長依存性が大きな記録材料の場合は、記録波長の少しの変化や、色素材料の光学特性の少しの違いで記録条件が異なるため、安定記録が困難であるという課題を有していた。
【０００６】
さらに、特許文献１における記録媒体は、書き換え型相変化記録媒体であり、ＢＣＡ加工時の記録モードは通常記録における消去時と同じであり、比較的低温度なので、加工時に記録層にダメージを与えることは少ない。これに対して、追記型相変化記録媒体のＢＣＡ加工時の記録モードは、通常記録と同じであり、高い温度が必要となる。しかも大面積のレーザースポットで記録するため、通常記録の数百倍のエネルギーを投入して記録を行う。このため非常に広い範囲で記録層上に高温部が出来るため、記録層にダメージが発生し、ＢＣＡ再生時の信号品質を悪化させるという課題を有していた。
【０００７】
本発明は、前記従来の課題を解決するもので、追記型記録媒体においても、また波長依存性が大きな記録材料の場合でも、容易にまた安定して媒体識別情報記録を実現する方法、装置およびＢＣＡパターンを形成した光ディスクの提供を目的とする。
【課題を解決するための手段】
【０００８】
上記課題を解決するために本発明の情報記録装置および方法は、情報記録媒体に対して、ユーザーデータの記録または再生を行う面とは反対側の面に媒体情報記録用光ピックアップを有し、レーザービームを用いて媒体識別情報を記録する。
本構成によって、情報記録層が一層または多層の場合でも、レーザービームが入射して媒体識別情報を記録するまでの経路が同一となるため、同一の記録条件で媒体識別情報を記録可能となる。
【０００９】
また、本発明の情報記録方法は、情報記録媒体のユーザーデータの記録または再生を行う面とは反対側の面の表面と情報記録層との間に光吸収層を有し、光吸収層をレーザービームによって加熱し、熱伝播により情報記録層に媒体識別情報を記録することが好ましい。
【００１０】
本構成によって、情報記録層は、光吸収層を介して間接的に記録されるため、情報記録層の熱変形を抑えて安定して媒体識別情報を記録できる。
また、本発明の情報記録方法に用いる情報記録媒体の光吸収層は、ユーザーデータの記録または再生時には反射層として機能する。
【００１１】
本構成によって、新たに光吸収層を設ける必要が無く、低コストで良好な媒体識別情報を記録できる。
また、本発明の情報記録方法は、媒体識別情報の最短マーク幅よりも、光吸収層に照射するレーザービームの集光スポット幅を狭くして記録することが好ましい。
【００１２】
本構成によって、熱伝播によるマークの広がり過ぎを抑えることができるため、良好な媒体識別情報を記録できる。
また、本発明の情報記録方法は、照射するレーザービームが、光吸収層に対してデフォーカス状態であり、また、本発明の情報記録装置は、デフォーカス状態を実現するフォーカス制御手段を備えている。
【００１３】
本構成によって、光が適度に分散し、記録層に急激な温度変化を与えないので、記録層や基板に物理的なダメージを与えることが少ない。
デフォーカス量は、少なすぎると効果が少なく、大きすぎると大きなレーザーパワーが必要となるため、デフォーカスの範囲は、焦点深度のプラスマイナス２倍から１０倍が好ましい。
【００１４】
また、本発明の情報記録方法に用いる情報記録媒体は、情報記録層が、相変化型記録材料から成ることが好ましい。
本構成によって、結晶状態とアモルファス状態の反射率の違いを利用した、良好な媒体識別情報を記録できる。情報記録層が追記型相変化記録材料から成り、媒体識別情報は、情報記録層の非晶質相を結晶相に変更することで記録されることを特徴とする。この場合に情報記録層が高温状態になるが、情報記録層は、光吸収層を介して間接的に記録されるため、情報記録層の熱変形を抑えて安定して媒体識別情報を記録できる。
【００１５】
また、本発明の情報記録方法に用いる情報記録媒体は、情報記録層が、有機色素型記録材料から成ることが好ましい。
本構成によって、有機色素記録材料は光吸収層の発熱を受けた熱記録となり、色素材料特有の微妙な光吸収特性の影響を受けないため、安定した記録ができる。
【００１６】
また、本発明の情報記録装置は、ディスク取付部に、ディスクへの光ピックアップからの媒体識別情報記録用レーザービーム入射側とは反対側の内周部で中心位置を補正する芯出し機構を設けている。
本構成によって、安全性を考慮して下向きレーザーのピックアップを使用した場合、芯出しはピックアップとは反対の面側で行えるため、ディスク取り付けにエアー吸着などを利用した、効率が良く量産に適した情報記録装置を実現できる。
【発明の効果】
【００１７】
本発明の情報記録方法によれば、ユーザーデータの記録または再生を行う面とは反対側の面からレーザービームを照射して媒体識別情報を記録するため、単層型の光ディスク、多層型光ディスクにかかわらず、また波長依存性が大きな記録材料の場合でも、容易にまた安定してＢＣＡパターンを形成することができる。
【発明を実施するための最良の形態】
【００１８】
以下本発明の実施の形態について、図面を参照しながら説明する。なお、以下の説明では情報記録層が追記型相変化記録材料からなる場合を説明しているが、情報記録層が書換型相変化記録材料や有機色素型記録材料から成る場合でも同様に説明できる。
〈実施の形態〉
図１は、本発明の実施の形態における情報記録方法に用いた情報記録層単層型の光ディスク５の断面図である。
【００１９】
図１において、１１ａは手前側誘電体層、１１ｃは奥側誘電体層、１１ｂは記録層、１１ｄは反射層であり、１は基板であり、２はカバー層である。トラッキング用の溝を有した厚さ１．１ｍｍのポリカーボネート製透明な基板１上に、真空スパッタ法によりＡｌ合金による反射層１１ｄを４０ｎｍ、ＺｎＳ−ＳｉＯ2による奥側誘電体層１１ｃを３０ｎｍ、Ｔｅ−Ｏ−Ｐｄによる記録層１１ｂを２０ｎｍ、ＺｎＳ−ＳｉＯ2による手前側誘電体層１１ａを４０ｎｍ順次成膜し、さらに図示していない接着材により厚さ０．１ｍｍのポリカーボネート製の透明なカバー層２を接着することにより、単層型光ディスク５を作成した。
【００２０】
反射層１１ｄは、光吸収層としても機能する。本実施の形態では媒体識別情報記録レーザービーム４は、基板１側から照射し、ユーザーデータ記録はカバー層２側からレーザービームを照射して行う。
図２は、本発明の実施の形態における情報記録方法に用いる情報記録層二層型の光ディスク６の断面図である。
【００２１】
図２において、１２ａは二層目手前側誘電体層、１２ｃは二層目奥側誘電体層、１２ｂは二層目記録層、１２ｄは二層目反射層であり、１は基板であり、３は中間層、２ｂはカバー層である。透明な基板１上に、単層光ディスクと同様に、真空スパッタ法により反射層１１ｄ、奥側誘電体層１１ｃ、記録層１１ｂ、手前側誘電体層１１ａを順次成膜して、その後、紫外線硬化樹脂による中間層３を２５μｍ設け、さらに真空スパッタ法によりＡｌ合金による二層目反射層１２ｄを１０ｎｍ、ＺｎＳ−ＳｉＯ2による二層目奥側誘電体層１２ｃを１５ｎｍ、Ｔｅ−Ｏ−Ｐｄによる二層目記録層１２ｂを１０ｎｍ、ＺｎＳ−ＳｉＯ2による二層目手前側誘電体層１２ａを２０ｎｍ順次成膜して、図示していない接着材により厚さ０．０７５ｍｍのポリカーボネート製の透明なカバー層２ｂを接着することにより、二層型光ディスク６を作成した。本実施の形態では媒体識別情報記録レーザービーム４は、基板１側から照射し、ユーザーデータ記録はカバー層２側からレーザービームを照射して行う。
【００２２】
図３は、本発明の実施の形態における情報記録方法に用いる情報記録層四層型の光ディスク７の断面図である。
図３において、１３ａは二層目手前側誘電体層、１３ｃは二層目奥側誘電体層、１３ｂは二層目記録層、１４ａは三層目手前側誘電体層、１４ｃは三層目奥側誘電体層、１４ｂは三層目記録層、１５ａは四層目手前側誘電体層、１５ｃは四層目奥側誘電体層、１５ｂは四層目記録層、１は基板であり、３ｂ、３ｃ、３ｄは中間層、２ｃはカバー層である。透明な基板１上に、単層光ディスクと同様に、真空スパッタ法により反射層１１ｄ、奥側誘電体層１１ｃ、記録層１１ｂ、手前側誘電体層１１ａを順次成膜して、その後、紫外線硬化樹脂による中間層３ｂを１５μｍ設け、さらに真空スパッタ法によりＺｎＳ−ＳｉＯ2による二層目奥側誘電体層１３ｃを１０ｎｍ、Ｔｅ−Ｏ−Ｐｄによる二層目記録層１３ｂを１５ｎｍ、ＺｎＳ−ＳｉＯ2による二層目手前側誘電体層１３ａを２０ｎｍ順次成膜し、その後、紫外線硬化樹脂による中間層３ｃを１５μｍ設けて、さらに真空スパッタ法によりＺｎＳ−ＳｉＯ2による三層目奥側誘電体層１４ｃを５ｎｍ、Ｔｅ−Ｏ−Ｐｄによる三層目記録層１４ｂを１０ｎｍ、ＺｎＳ−ＳｉＯ2による三層目手前側誘電体層１４ａを１５ｎｍ順次成膜し、その後、紫外線硬化樹脂による中間層３ｄを１５μｍ設け、さらに真空スパッタ法によりＺｎＳ−ＳｉＯ2による四層目奥側誘電体層１５ｃを５ｎｍ、Ｔｅ−Ｏ−Ｐｄによる四層目記録層１５ｂを１０ｎｍ、ＺｎＳ−ＳｉＯ2による四層目手前側誘電体層１５ａを１５ｎｍ順次成膜し、図示していない接着材により厚さ０．０６ｍｍのポリカーボネート製の透明なカバー層２ｃを接着することにより、四層型光ディスク７を作成した。
【００２３】
本実施の形態では媒体識別情報記録レーザービーム４は、基板１側から照射し、ユーザーデータ記録はカバー層２側からレーザービームを照射して行う。
図４は、本発明の実施の形態における情報記録方法に用いた塗布型の光ディスク８の断面図である。
【００２４】
図４において、１６ｂは記録層、１６ｄは反射層であり、１ｂは塗布型用基板であり、２ｄはダミー基板である。トラッキング用の溝を有した厚さ０．６ｍｍのポリカーボネート製透明な塗布型用基板１ｂ上に、スピンコート方式によって、アゾ系有機色素を平均１００ｎｍ塗布し、真空スパッタ法によりＡｌ合金による反射層１６ｄを６０ｎｍ成膜して、さらに図示していない接着材により厚さ０．６ｍｍのポリカーボネート製の透明なダミー基板２ｄを接着することにより、塗布型光ディスク８を作成した。本実施の形態では媒体識別情報記録レーザービーム４は、ダミー基板２ｄ側から照射し、ユーザーデータ記録は塗布型用基板１ｂ側からレーザービームを照射して行う。
【００２５】
図５は、本発明の実施の形態における情報記録方法の一例を示す図である。ただし、わかりやすくするために、一部の構成要素を省略している。
媒体識別情報は、ディスク１枚ごとの固有の製造番号に相当する信号であり、ディスクのリードイン領域の一部にバーコード状の信号として記録される。図５において、単層型光ディスク５および二層型光ディスク６に対する媒体識別情報記録レーザービームの入射側は、ユーザーデータ記録時と反対の、基板１側である。この構成により、二層型光ディスク６では、媒体識別情報は一層目記録層１１ｂに記録されるが、二層目記録層１２ｂなどの影響を受けない。したがって、二層型光ディスク６では、単層型光ディスク５と同じ記録条件で媒体識別情報記録が可能となる。
【００２６】
図１２は、比較のため、従来の情報記録方法の一例を示した図である。
図１２において、単層型光ディスク１０５および二層型光ディスク１０６に対する媒体識別情報記録レーザービームの入射側は、ユーザーデータ記録時と同じ、カバー層１０２、１０２ｂ側である。二層型光ディスク１０６では、媒体識別情報は一層目記録相１１１ｂに記録されるが、二層目記録層１１２ｂなどの影響を受ける。したがって、二層型光ディスク１０６では、単層型光ディスク１０５の記録条件とは別の媒体識別情報記録条件を設定する必要がある。
【００２７】
図６は、本発明の実施の形態における記録メカニズムの説明図である。
図６において、（ｂ）は従来の媒体識別情報記録方法であり、レーザービーム１２１ａは直接記録層１１１ｂに焦点を合わせ、加熱するため、記録層１１１ｂは熱ダメージを受け、記録マーク１２２ａは変形したものとなる。（ａ）は本発明の記録方法の特徴である間接加熱記録を説明している。媒体識別情報記録レーザービーム２１ｂは、まず光吸収層である反射層１１ｄを加熱し、熱伝導や熱輻射によって記録層１１ｂを加熱する。この方式の長所は、記録層に急激な温度変化を与えないので、記録層や基板に物理的なダメージを与えることが少ない点があげられる。さらに、媒体識別情報記録レーザービーム２１ｂの反射層１１ｄ上のビームスポットを広げる等を行い、パワー密度を下げることにより、さらにこの長所を伸ばすことが出来る。
【００２８】
図７は、本発明の実施の形態におけるデフォーカス記録の説明図である。
図７において、（ｂ）は反射層１１ｄに対してフォーカスが合っている状態であり、２３は媒体識別情報記録レーザービーム、２４は反射層加熱部、２５は焦点深度である。また、（ａ）は手前側にデフォーカスしている状態で、２６ａは、マイナス側デフォーカス量である。（ｃ）は奥側にデフォーカスしている状態で、２６ｂはプラス側デフォーカス量である。反射層加熱部２４は、フォーカスが合っている状態（ｂ）において、非常に絞れているが、デフォーカス状態（ａ）、（ｃ）では拡がり、パワー密度が下がっているため更に安定して、記録層１１ｂ上に媒体識別情報を記録できる。デフォーカス量は、少な過ぎれば効果が少なく、また多過ぎれば記録パワーが増大する。
【００２９】
一般的に焦点深度Δsは、以下の数１の通りである。
【００３０】
【数１】
2005135569.tif 000003
【００３１】
図８は、本実施の形態におけるデフォーカス量の効果を示した特性図である。サンプルは二層を用い、レーザー入射側はユーザーデータ記録側と反対の面としている。
図８から、デフォーカスを付加しない場合（デフォーカス０）、変調度minは０．７３であるが、デフォーカスを付加すると、変調度minは、改善される。しかし、デフォーカス量が±１０×Δｓを越えると、エネルギーが過度に分散するため、記録に必要な温度上昇が得られず、変調度を確保できなくなっていく。本結果より、特に良好な特性を示すデフォーカス量は、±２〜１０×Δｓであった。
【００３２】
その他、パワー密度を下げる方法として、レンズのＮＡを下げる、あるいは、レンズに意図的に収差を与えるなどを行っても、同様の効果を得ることが出来る。
ただし、ビームスポットの大きさ（幅）は、最小記録マークの大きさ（幅）より小さくする必要がある。熱伝播によって間接的に記録層に記録する方式であるために、記録マークがビームスポットに対して大きめになる傾向を解決するためである。
【００３３】
また、本発明の記録方法では、光吸収層を加熱して、間接的に記録するため、記録層の記録材料の光吸収特性を無視できるという特長がある。そのため、有機色素を使った記録層において、記録する波長で吸収の有無にかかわらず、熱記録によって記録が可能となる。
【００３４】
図９は、本発明の実施の形態における情報記録方法の一例を説明する図である。
図９において、３１はレーザービームの集光スポットであり、３２は集光スポットの径方向の長さ、３３はディスク１回転当りの光ピックアップの移動量である。本実施の形態においては、ディスクの径方向に長いレーザー集光スポット３１を用いて、アモルファス状態から結晶状態に移行させることにより記録を行い、ディスク１回転あたり光ピックアップ移動量３３ずつ記録を継ぎ足しながら、ＢＣＡパターンを完成させてゆく。
【００３５】
図１０は、媒体識別情報の再生信号を示した図である。
図１０において、４１は未記録出力、４２は未記録出力４１を１としたときの記録深さを示す変調度ｍａｘ、４３は変調度ｍｉｎであり、検出ピックアップは、ユーザーデータ記録再生用のものを用いる。再生信号の品質は、変調度ｍａｘ４２および変調度ｍｉｎ４３の値が大きく、また変調度ｍａｘ４２と変調度ｍｉｎ４３の差が小さいほど良好である。
【００３６】
図１から図４における単層型光ディスク５、二層型光ディスク６、四層型光ディスク７、塗布型光ディスク８を用いて、媒体識別情報を記録し、再生した時の信号品質を表したものが、表１である。
記録に使用したレーザーは波長８１０ｎｍであり、集光スポットの径方向長さは４８μｍ、周方向のＮＡは０．５、ディスク１回転あたりの半径方向移動量は６μｍ、記録マークの周方向の長さは１７μｍ、線速約６ｍ／ｓｅｃで実施した。また、再生ピックアップのレーザー波長は４０５ｎｍであり、ＮＡは０．８５である。また再生パワーは０．３５ｍＷである。
【００３７】
【表１】
2005135569.tif 000004
【００３８】
表１において、Ｎｏ．１はユーザーデータ記録側と反対の面（Ｂａｃｋ）より、デフォーカスをとらずに媒体識別情報記録を行った結果であり、Ｎｏ．２は、Ｎｏ．１と比較して記録用集光レンズと光ディスクの相対的距離を５×Δｓ離して（デフォーカス）記録を行った結果、Ｎｏ．３は逆に５×Δｓ近づけて（デフォーカス）記録を行った結果、そして、Ｎｏ．４は従来例であり、ユーザーデータ記録側（Ｆｒｏｎｔ）より媒体識別情報記録を行った結果を表している。
【００３９】
従来例において、単層、二層および四層で記録パワーが異なっている。また、変調度ｍｉｎが約０．４と小さく、変調度ｍａｘとの差が大きい。これに対して本発明の実施例において、単層、二層および四層の記録パワーは同じである。変調度ｍｉｎは０．６以上であり、従来例と比べて変調度ｍａｘとの差が小さい。塗布型においても、変調度の差は小さかった。デフォーカスを付加したＮｏ．２、Ｎｏ．３においては、さらに変調度ｍｉｎと変調度ｍａｘの差が縮小し、安定した媒体識別情報記録が実現できている。
【００４０】
このように本発明の実施例において、光ディスクに対する媒体識別情報記録レーザービームを、ユーザーデータ記録時と反対の基板側から照射する。この構成により、多層型光ディスクでも二層目以降の記録層などの影響を受けないので、単層型光ディスクと同じ記録条件で媒体識別情報記録が可能となる。また、反射層を介して記録層を記録することになり、急激な温度付加による記録層の変形を緩和し、安定した記録が可能となる。さらには、レーザービームを記録層に対して、ある範囲内でデフォーカスさせることで、急激な温度付加を緩和する効果があり、さらに安定した記録が可能である。また、有機色素記録材料は光吸収層の発熱を受けた熱記録となっているため、色素の光吸収特性の影響を受けないので、良好に媒体識別情報を記録できる。
【００４１】
図１１は、本発明の情報記録装置を示した断面図である。
図１１において、５１は媒体識別情報記録光ピックアップ、５２はターンテーブル、５３は芯出し機構、５４はモーターであり５５はフォーカス制御手段である。光ディスク５はユーザーデータ記録面側を、図示していない方法で、ターンテーブル５２に固定され、モーター５４によって所定の速度で回転する。媒体識別情報の記録は光ピックアップ５１から、光ディスク５の反射層側へレーザービームが照射され、実施される。そして、図示していないフィード手段により光ピックアップ５１は移動し、記録部が半径方向に広がり、ＢＣＡが完成する。また、本発明の情報記録装置は、媒体識別情報記録レーザービーム入射側とは反対側の内周部で中心位置を補正する芯出し機構５３を設けているため、安全性を考慮して下向きレーザーの光ピックアップ５１を使用した場合、芯出しは光ピックアップを行う面と反対の面側で行うことができ、エアー吸着を用いて光ディスク５をターンテーブル５２に固定するなど、量産性に優れた情報記録装置を実現できる。さらに、本発明の情報記録装置は、フォーカス制御手段５５を有し、焦点深度の±１０倍以上まで、自由にデフォーカス量を設定できる構造となっており、記録レーザースポットのパワー密度を調整し、記録時の急激な熱変化による記録層や基板の変形を抑えることが出来るため、良好で安定した媒体識別情報記録が可能となる。
【００４２】
前記実施の形態は、本発明の一実施形態を示すものであり、本発明を限定するものではない。本発明の要旨を逸脱しない範囲で様々な変更が可能である。
【産業上の利用可能性】
【００４３】
本発明にかかる情報記録方法は、容易にまた安定した媒体識別情報の記録ができるため、光ディスクのＢＣＡ記録等として有用である。また光テープ、光カード等の用途にも応用できる。
【図面の簡単な説明】
【００４４】
【図１】本発明の実施の形態における情報記録方法に用いる情報記録層単層型の光ディスクの断面図。
【図２】本発明の実施の形態における情報記録方法に用いる情報記録層二層型の光ディスクの断面図。
【図３】本発明の実施の形態における情報記録方法に用いる情報記録層四層型の光ディスクの断面図。
【図４】本発明の実施の形態における情報記録方法に用いる塗布型の光ディスクの断面図。
【図５】本発明の実施の形態における情報記録方法の一例を示す図。
【図６】（ａ）本発明の実施の形態における記録メカニズムの説明図であり、（ｂ）は従来技術の説明図。
【図７】本発明の実施の形態におけるデフォーカス記録の説明図。
【図８】本発明の実施の形態におけるデフォーカス量の効果を示す特性図。
【図９】本発明の実施の形態における情報記録方法の一例を説明する図。
【図１０】媒体識別情報の再生信号を示した図。
【図１１】本発明の情報記録装置を示した断面図。
【図１２】従来の情報記録方法の一例を示した図。
【符号の説明】
【００４５】
１  基板
１ｂ  塗布型用基板
２、２ｂ、２ｃ  カバー層
２ｄ  ダミー基板
３、３ｂ、３ｃ、３ｄ  中間層
４  媒体識別情報記録レーザービーム
５  単層型光ディスク
６  二層型光ディスク
７  四層型光ディスク
８  塗布型光ディスク
１１ａ  手前側誘電体層
１１ｂ  記録層
１１ｃ  奥側誘電体層
１１ｄ  反射層
１２ａ  二層目手前側誘電体層
１２ｂ  二層目記録層
１２ｃ  二層目奥側誘電体層
１２ｄ  二層目反射層
１３ａ  四層二層目手前側誘電体層
１３ｂ  四層二層目記録層
１３ｃ  四層二層目奥側誘電体層
１４ａ  四層三層目手前側誘電体層
１４ｂ  四層三層目記録層
１４ｃ  四層三層目奥側誘電体層
１５ａ  四層四層目手前側誘電体層
１５ｂ  四層四層目記録層
１５ｃ  四層四層目奥側誘電体層
１６ｂ  塗布型記録層
１６ｄ  反射層
２１ａ、２１ｂ  媒体識別情報記録レーザービーム
２２ａ、２２ｂ  記録マーク
２３  媒体識別情報記録レーザービーム
２４  反射層加熱部
２５  焦点深度
２６a  マイナス側デフォーカス量
２６ｂ  プラス側デフォーカス量
３１  集光スポット
３２  集光スポット径方向長さ
３３  光ピックアップの移動量（ディスク１回転あたり）
４１  未記録出力
４２  変調度ｍａｘ
４３  変調度ｍｉｎ
５１  媒体識別情報記録用光ピックアップ
５２  ターンテーブル
５３  芯出し機構
５４  モーター
５５  フォーカス制御手段
【図１】
2005135569.tif 000005
【図２】
2005135569.tif 000006
【図３】
2005135569.tif 000007
【図４】
2005135569.tif 000008
【図５】
2005135569.tif 000009
【図６】
2005135569.tif 000010
【図７】
2005135569.tif 000011
【図８】
2005135569.tif 000012
【図９】
2005135569.tif 000013
【図１０】
2005135569.tif 000014
【図１１】
2005135569.tif 000015
【図１２】
2005135569.tif 000016